(57)【要約】【課題】脚部を折畳み可能で、かつ、脚の長さをワンタッチ操作によって延長可能とする高さ調整可能な折畳み机を提供することを目的としている。そして、脚を立ち起こして天板の下方の脚間に幕板を着脱可能に設けることにより、幕板によって脚間の目隠しをし、かつ、幕板を外すとともに脚を折畳んで容易に収納できるようにした折畳み机を提供することを目的としている。【解決手段】天板の裏側に四本の基脚を夫々折畳み又は立ち起こし可能に設けた折畳み机であって、前記四本の基脚の略先端部に夫々ロックピンを設け、これらのロックピンによって前記四本の基脚に夫々延長脚を連結することを特徴とする高さ調整可能な折畳み机。【選択図】図１
0003141129.tif 000002
【実用新案登録請求の範囲】
【請求項１】
天板の裏側に四本の基脚を夫々折畳み又は立ち起こし可能に設けた折畳み机であって、
前記四本の基脚の略先端部に夫々ロックピンを設け、
これらのロックピンによって前記四本の基脚に夫々延長脚を連結することを特徴とする折畳み机。
【請求項２】
前記四本の基脚の内周へ夫々前記延長脚を挿着し、
かつ、前記四本の基脚の略先端部に前記ロックピンを夫々螺着するとともに、
これらのロックピンにはスプリングを介して前進自在にノック棒を内蔵し、
かつ、前記四本の基脚及び夫々前記延長脚に穴を穿孔し、
前記ノック棒をこれらの穴に貫通させることを特徴とする請求項１記載の折畳み机。
【請求項３】
夫々前記延長脚の長手方向に複数の穴を穿孔することを特徴とする請求項２記載の折畳み机。
【請求項４】
夫々前記延長脚の表面に硬質クロムメッキを施すことを特徴とする請求項１記載の折畳み机。
【考案の詳細な説明】
【技術分野】
【０００１】
この考案は、机の高さを調整可能な折畳み机に係わり、事務所や店頭のカウンター等で使用する立ち机、あるいは会議等で使用する座り机に関する。詳しくは、脚の長さをワンタッチ操作によって伸縮可能とし、使用目的に応じて机の高さを多段階に調整し、かつ、不使用時には脚を折り畳むことによって嵩高を減らしてコンパクトにし、収納あるいは運搬を容易にした折畳み机に関する。
【背景技術】
【０００２】
従来、事務机、座卓や経机等は通常は天板裏側に長さが固定の脚が設けられており、立ち机又は座り机として専用されている。しかしながら、このような固定脚を有する机は使用時には座りが安定しているが、机を使用しないときには脚の長さの分大きな収納スペースを必要とする。収納スペースを確保できない団地等では、かかる机のために、他に収容すべき物を収納することができなくなったり、居住空間が狭められたりする。あるいは、机の運搬通路が狭い場合、机の嵩張るため机の脚を壁等にぶつけて脚や壁を傷付けるようなこともある。
【０００３】
このように、固定脚を有する机は使用時には安定しているが、片付ける場合にはそのままでは場所をとる。そこで脚を折る構造にして畳み、あるいは脚を天板にネジ締め構造で螺着し、かつ、螺着をゆるめて脚を外したりする。ところで、この折畳み構造のものでは、脚の付け根と天板との間に蝶番を設け、脚の折り倒し方向を互いに対抗する脚に向けた方向として内側に折り倒す。この場合、折り倒し方向の天板の長さが十分に長ければ、折り倒した対抗する脚同士が重なり合うことはないが、仮に天板の大きさに比し脚が長い場合、折り倒した脚が対抗する脚と重なり合うこととなるので折り倒すことが出来なくなる。また、折畳み机の場合、天板から下の四本脚の間が開放されるので、必要に応じて布切れ等を使って目隠しをするが見栄えが悪い。
【０００４】
ところで、折畳み机については数々の構造のものが提案されており、本件出願人も、先に、足の高さを固定した折畳み机に関する考案を提案している（例えば、特許文献１参照）。その内容を以下に示す。天板の裏面において、この天板の対向する長辺に沿って一対のケタを固設するとともに、これらのケタの両端近傍に高さを固定した脚を設け、かつ、これらの脚を折畳み又は立ち起こし可能に設けた折畳み机であって、前記脚と前記脚との間に着脱可能に幕板を跨設したことを特徴とする。
【０００５】
【特許文献１】実用新案登録第３１３０８２３号公報
【考案の開示】
【考案が解決しようとする課題】
【０００６】
以上の通りであって、特許文献１に代表されるように、従来の机には、まとめると、次のような問題点がある。
【０００７】
即ち、従来の机の問題点の第一は、固定脚を有する机は使用時には安定していが、机を使用しないときには大きな収納スペースを必要とし、たとえば事務所や店頭等における受付、あるいは、団地等では収納スペースが狭いので机の保管場所の確保が大変である。
【０００８】
第二に、従来の折畳み机は脚の長さが固定なので、立ち机又は座り机としてそれぞれの用途が限定される。また、天板から下方の四本脚の間が開放されるのでカウンター等で使用する場合は中が丸見えとなり好ましくない。
【０００９】
そこで、本考案の高さ調整可能な折畳み机は、このような従来の抱える問題点を解決するためになされたもので、脚部を折畳み可能で、かつ、脚の長さをワンタッチ操作によって延長可能とする高さ調整可能な折畳み机を提供することを目的としている。そして、脚を立ち起こして天板の下方の脚間に幕板を着脱可能に設けることにより、幕板によって脚間の目隠しをし、かつ、幕板を外すとともに脚を折畳んで容易に収納できるようにした折畳み机を提供することを目的としている。
【課題を解決するための手段】
【００１０】
そこで、本考案者は、基脚にロックピンを介して延長脚を継ぎ足すことに着想し、これに基づき試作したところワンタッチによる操作性に優れるという知見を得た。本考案者の高さ調整可能な折畳み机はかかる知見を基に具体化したもので、請求項１の考案は、天板の裏側に四本の基脚を夫々折畳み又は立ち起こし可能に設けた折畳み机であって、前記四本の基脚の略先端部に夫々ロックピンを設け、これらのロックピンによって前記四本の基脚に夫々延長脚を連結することを特徴とする折畳み机である。また、請求項２の考案は、請求項１の考案の上記特徴に加えて、前記四本の基脚の内周へ夫々前記延長脚を挿着し、かつ、前記四本の基脚の略先端部に前記ロックピンを夫々螺着するとともに、これらのロックピンにはスプリングを介して前進自在にノック棒を内蔵し、かつ、前記四本の基脚及び夫々前記延長脚に穴を穿孔し、前記ノック棒をこれらの穴に貫通させることを特徴とする折畳み机である。請求項３の考案は、請求項２の考案の上記特徴に加えて、夫々前記延長脚の長手方向に複数の穴を穿孔することを特徴とする折畳み机である。そして、請求項４の考案は、請求項１の考案の上記特徴に加えて、夫々前記延長脚の表面に硬質クロムメッキを施すことを特徴とする折畳み机である。
【考案の効果】
【００１１】
本考案の高さ調整可能な折畳み机はワンタッチ操作のロックピンを基脚に設けることにより、一人作業によってでも脚部の長さを伸縮することが可能であり、使用目的に応じて机の高さを段階的に延長、固定することができる。そして、不使用時には脚を折り倒すことによって嵩高を減らしてコンパクトに折り畳み、かつ、収納又は運搬を容易にする。また、折畳み机を立脚して使用する場合は天板の下の脚間を幕板によって目隠しできるので、事務所や店頭等におけるカウンターとして使用する場合に外観上見栄えが良く好ましい。また、不使用時に、収納する際は幕板を外し、かつ、脚を折畳むことができるので、保管場所の確保が容易である。詳しくは、机から幕板を外し、かつ、脚を折畳んで嵩高を減らし、これらをコンパクトにまとめて収納、又は持ち運びが容易である。一方、例えば国税局等の役所によっては、確定申告の時期を境にカウンター机の使用頻度に応じて、あるいは、カウンター机の経費節減のため、机をリースで借りるというニーズが高い。このような場合、不使用時の机の保管場所を必要とせず、かつ、経費削減の効果も期待できる。
【考案を実施するための最良の形態】
【００１２】
本考案の実施の形態を、添付図面に示した本考案の実施例に基づいて以下に具体的に説明する。
【実施例１】
【００１３】
先ず、本考案の高さ調整可能な折畳み机の実施例について、図１〜図８を参照しながら説明する。図１は、本考案における高さ調整可能な折畳み机の全体斜視図である。図２は、同上、側面図である。図３は、同上、天板表側から見た一部断面図である。図４は、同上、基脚に延長脚を継ぎ足す前の状態を示す一部斜視図である。図５は、同上、基脚に延長脚を連結した後の状態を示す一部斜視図である。図６は、同上、ロックピンの詳細を示す部品図である。図７は、同上、ロックピンの作用を示す説明図である。図８は、同上、脚部に幕板を装着した状態を示す高さ調整可能な折畳み机の全体斜視図である。
【００１４】
本考案の高さ調整可能な折畳み机の天板は脚の高さに比して比較的横幅が小さく、天板は長さ１８００ｍｍで幅４５０ｍｍ又は幅６００ｍｍが標準のサイズである。脚部を起立させた状態を図１に示すように、折畳み机Ｄは、長方形の木製の化粧板からなる天板１を有し、天板１の裏側へ折畳み、かつ、立ち起こし可能に四本の鉄製の基脚５を設ける。以下、折畳み机Ｄは天板１の長辺を左右方向と称し、短辺を前後方向と称する。天板１の裏面において、対向する長辺に沿って前後に棒状鉄製のケタ２、２が、夫々天板１に一体的に固設される。これらのケタ２の左右方向両端近傍に、コの字部品５１、５１を備える。そして、基脚５を内側へ折り曲げ可能にコの字部品５１下端にリベット５２を設ける。また、ケタ２と基脚５とを連結するステー３が設けられ、基脚５側にリベット５３とケタ２側にリベット２１とこれらの間にリベット３１を備える。即ち、ステー３は、リベット３１、２１、５３によって、これらのリベットを支点として回動するようにリンク機構として構成される。更に、天板１の裏側に棚４が長辺に沿って設けられ、両側のステー３、３のリベット３１、３１と連結する。折畳み机が立ち机として使用される時には、ステー３は真直ぐに突っ張ってケタ２と基脚５との間を直角に保持するように作用する。一方、折畳み机を折畳む時は、ステー３はリベット３１を中にして、くの字状に折れ曲がり、同時に基脚５はリベット５２を支点としてケタ２側へ折れ曲がる。本考案では、四本の基脚５の下方に夫々延長脚９を連結する。側方から見た図２からも判るように、夫々延長脚９はロックピン６を介して夫々の基脚５の先端に継ぎ足し連結される。これらの延長脚９によって脚部の長さが伸縮され、本考案の折畳み机Ｄの高さは９５０ｍｍ、９００ｍｍ及び７００ｍｍの三段階に調整される。
【００１５】
折畳み机Ｄを折畳んで積み重ねる際に、下方の天板１を傷付けることの無いように、基脚５の付け根に近い部位に緩衝パッキン５４を備える。また、天板１の短辺方向に基脚５、５間を補強するように、脚連結材５６、５６を上下二段に設ける。また、延長脚９の下方先端部に、水平の微調整用のアジャストボルト９７を夫々設ける。
【００１６】
本考案の特徴とするところは、脚の長さを調整可能にするために延長脚を継ぎ足して机の高さを可変にすることにあり、その際延長脚を固定するために主要なロックピンの構成について図６を参照しながら説明する。中央の６図（ａ）は、ロックピン６を後述するスプリングに抗して伸長させた状態を示し、分割面Ｐを境にして左の基部６１と右の固着部６２が対面する。そして、これらの中を右方から太いノック棒６３ａが左方の一段細いノック棒基部６３ｂへと貫通している。細いノック棒基部６３ｂは左端部で止めネジ６６によって内方で基部６１に固着されている。一方、右方の固着部６２の先端はロックピン６を基脚５に固着するためにネジ６４が刻まれている。なお、固着部６２の表面には分割面Ｐ寄りにスパナ掛け６７を示し、内方にはスプリングが伸縮自在に設けられている。分割面ＰにおけるＢ−Ｂ矢示図を７図（ｂ）として左に示し、Ｃ−Ｃ矢示図を７図（ｃ）として右に示す。左の図（ｂ）では基部６１の中央に左右方向に窪んだ切欠き溝６８を設け、その中心に貫通するノック棒基部６３ｂを示す。右の６図（ｃ）では固着部６２の中央に前記切欠き溝６８とは直角方向にスパナ掛け６７を設け、この中央に貫通するノック棒基部６３ｂを示す。
【００１７】
以上に加えて、本考案の高さ調整可能な折畳み机には工夫を凝らしている。即ち、折畳み机Ｄの天板１の下方脚部を覆うために、前方に正面幕板と、左右に側面幕板を設ける。図８に正面に正面幕板７を示し、これは略矩形状の薄い木製の化粧板である。正面幕板７の長辺は略天板１の長辺と略同じ長さであり、短辺寸法は天板１の下方を覆うスペースによって決まる。図示のとおり、正面幕板７は左右前方の基脚５、５の下端部に設けたＬ字金具５５の上に載置される。一方、左右に側面幕板８、８を示し、これらも略矩形状の薄い木製化粧板である。側面幕板８の短辺は、天板１の短辺と略同じ長さであり、長辺は天板１の下方を覆う高さスペースによって決まる。これらの側面幕板８、８も正面幕板７と同様に図示しない金具の上に載置される。
【００１８】
以上のように構成され、次に本実施の形態にかかわる高さ調整可能な折畳み机の組み立ておよび収納手順について説明する。
【００１９】
先ず、脚部を継ぎ足して延長する手段について、図４及び５図を参照しながら説明する。図４には上方に基脚側と下方に延長脚側とを切り離して示し、図５に上下を連結した状態を示す。上方鉄製の基脚５は、天板１に折畳み、かつ、立ち起こし可能に設けられている。基脚５は断面四角の空洞であり、この空洞の内周に下方から一回り小さい断面四角の延長脚９を挿入する。延長脚９の先端部において机の前後方向に、天板１の裏側のコの字部品５１に設けたリベット５２の部位を通るので逃げとなるスリット９４を設けている。このスリット９４の下方に上から穴９１、９２及び９３が穿孔され、夫々机の高さが９５０ｍｍ、９００ｍｍ及び７００ｍｍになるように位置決めされている。図５に示すように、上方の基脚の内周へ下方の延長脚を挿入した後に、基脚に延長脚を固定するためにロックピン６が設けられる。なお、机の高さを調整する目安として、図１に示すように机の左右方向で基脚５の内側に、夫々三か所の矢印９５が穴の下近くに刻まれている。
【００２０】
次に、延長脚を継ぎ足し連結する際に、固定するためのロックピンの作用について説明する。図７に示すように、外側の基脚５の内周へ延長脚９が挿入され、その高さ位置決め前の状態を７図（ａ）に示し、位置決め後の状態を７図（ｂ）に示す。７図（ａ）において、左方はロックピン６の長手方向断面図、右方に空洞の脚部高さ方向断面を示す。図示のように、外側の基脚５の表面にナット６９が溶接、固着されており、このナット６９に左方からロックピン６の先端のネジ６４を締め付けることによってロックピン６が基脚５に固着される。この時、ロックピン６のスパナ掛け６７（図６に示す）にスパナを嵌めてナット６９にきつく締め付けるので、緩むことなくロックピン６は基脚５に螺着される。ロックピン６は後述するスプリングに抗して伸長した状態にある。即ち、ノック棒６３ａの先端部は外側の基脚５の穴５７を覗き、延長脚９の穴を貫通することなく境界面Ｐを境に左方の基部６１と右方の固着部６２とが突接した状態にある。詳しくは、図６（ｂ）に示した左方の基部６１先端面と、図６（ｃ）に示す右方のスパナ掛け６７先端面が突接している。この状態から、左方の基部６１を９０度回転させ、凹状の切欠き溝６８が右方の凸状のスパナ掛け６７に凸凹で噛み合う位置とする。この状態から、図７（ｂ）に示すように、内側の延長脚９を矢印Ｈ方向に上げると、穴９１の位置でノック棒６３ａがスプリング６５の付勢力で右方に飛び出し穴９１を貫通する。このようにして、延長脚９の位置が決まり、この穴９１にノック棒６３ａが貫通した場合天板の高さが９５０ｍｍに固定される。高さを変えるときは、図７（ａ）の状態まで左方の基部６１をスプリング６５に抗して伸長した状態に戻した後、延長脚９を矢印Ｈ方向に上げると穴９２、９３の位置でノック棒６３ａが右方に貫通して、夫々天板の高さが９００ｍｍ、７００ｍｍに位置決めされる。このように、延長脚９を矢印Ｈ方向に上げて穴９１、９２、９３がノック棒６３ａの位置に合うと付勢されたスプリング６５によってノック棒６３ａが夫々の穴に貫通して脚の長さが決まる。実際の作業の際は、天板の基脚側を下にして基脚５の断面角の空洞へ、上方から延長脚９を挿入することにより、一人作業で脚の長さを調整することができる。スプリングの付勢力によってノック棒が延長脚の穴へ貫通するので、ロックピンのワンタッチ操作によって一人作業でも机の高さ調整をすることができる。
【００２１】
このような高さ調整により、三段階に机の高さを調整できる。従って立ち机として、或いは座り机としての用途を拡大することができる。高さ９５０ｍｍ、９００ｍｍの場合税務署窓口等での立ち机として使用とし、高さ７００ｍｍの場合は通常の座り机として使用することができる。本実施例では、三段階の高さ調整を述べたが、延長脚を長くして、かつ、穴の数を増やして脚の長さを更に多段階に調整することも可能である。
【００２２】
なお、鉄製の延長脚９の外周面には硬質クロムメッキが施されている。この硬質クロムメッキ基脚５の内周へ装着する際に双方鉄製の脚同士が擦れ合い、あるいはノック棒６３ａの先端によって傷付くことを防止する作用をする。
【００２３】
その他に、折畳み机を組み立てる作業の際は、図１に示す机の天板１を下にして基脚５が上になるように置く。先ず、ケタ２に折り重なっている四本の基脚５をリベット５２の部位を支点として回動して立てる。同時に、くの字状に折れ曲がったステー３をリベット３１の部位から直線状に伸ばしたところで、止めに、ステー３を突っ張って基脚５とケタ２との間を直角に保持する。次いで、基脚５とケタ２との間がロックされたことをステー３の真直具合によって目視で確認した後、天板１を上にして基脚５が下になるようにする。次に、正面幕板７を天板１の長辺に沿って基脚５、５の間に跨設する。正面幕板７の下方長辺を基脚５、５に設けたＬ字状の基金具５５、５５の上に載せる。図示しないマグネット等で鉄製の基脚に正面幕板を装着する。側面幕板８も必要に応じて基脚に正面幕板を装着する。このようにして、折畳み机Ｄの組み立てが完了し、図８に示す。
【００２４】
一方、折畳み机を分解して収納する場合は、基本的には以上と逆の手順によればよい。先ず、折畳み机Ｄの側面幕板８、８を基脚５から外し、同様に、正面幕板７も基脚５から外す。このようにして、正面幕板７、左右の側面幕板８、８が別体として分離され、かつ、折畳み机Ｄの四本の基脚５が内側へ折り曲げられ、しかも夫々の脚部は互いに重なることが無いので、折畳み机Ｄの嵩高を減らすことができる。必要に応じて延長脚９を基脚５から外し、分解してコンパクトにまとめることができるので、折畳み机Ｄは狭いスペースに収納することができる。あるいは、使用者がリースで一時的に借りた場合、車での運搬等が容易であり使い勝手が良い。
【産業上の利用可能性】
【００２５】
なお、本考案の高さ調整可能な折畳み机の使途は、事務所や店頭のカウンター等で使用する立ち机の他、会議で使用する座り机、座卓や経机やアイロン台やちゃぶ台等の座位で使用する机として用途を拡大することができる。
【図面の簡単な説明】
【００２６】
【図１】本考案における高さ調整可能な折畳み机の全体斜視図である。
【図２】同上、側面図である。
【図３】同上、天板表側から見た一部断面図である。
【図４】同上、基脚に延長脚を継ぎ足す前の状態を示す一部斜視図である。
【図５】同上、基脚に延長脚を連結した後の状態を示す一部斜視図である。
【図６】同上、ロックピンの詳細を示す部品図である。
【図７】同上、ロックピンの作用を示す説明図である。
【図８】同上、脚部に幕板を装着した状態を示す高さ調整可能な折畳み机の全体斜視図である。
【符号の説明】
【００２７】
Ｄ  折畳み机
Ｐ  分割面
１  天板
１１  裏面
１２  凹部
１３  長凹部
２  ケタ
２１  リベット
３  ステー
３１  リベット
４  棚
４１  側棒
５  基脚
５１  コの字部品
５２、５３  リベット
５４  緩衝パッキン
５５  Ｌ字金具
５６  脚連結材
５７  穴
６  ロックピン
６１  基部
６２  固着部
６３ａ  ノック棒
６３ｂ  ノック棒基部
６４  ネジ
６５  スプリング
６６  止めネジ
６７  スパナ掛け
６８  切欠き溝
６９  ナット
７  正面幕板
８  側面幕板
９  延長脚
９１、９２、９３  穴
９４  スリット
９５  矢印マーク
９６  脚連結材
９７  アジャストボルト
【図１】
0003141129.tif 000003
【図２】
0003141129.tif 000004
【図３】
0003141129.tif 000005
【図４】
0003141129.tif 000006
【図５】
0003141129.tif 000007
【図６】
0003141129.tif 000008
【図７】
0003141129.tif 000009
【図８】
0003141129.tif 000010